【手続補正書】
【提出日】平成23年4月22日(2011.4.22)
【手続補正１】
【補正対象書類名】特許請求の範囲
【補正対象項目名】全文
【補正方法】変更
【補正の内容】
【特許請求の範囲】
【請求項１】
下記一般式（１）で表わされることを特徴とする色素化合物。
【化１】
2009269938.tif 000001
［一般式（１）中、Ａ１はＮ、もしくはＣＲ２を表わす。Ａ１がＮのとき、Ｒ１はアミノ基であり、Ａ１がＣＲ２のとき、Ｒ１はＲ２と共に芳香環を形成し、該芳香環は陰イオン性基をもつ。Ｒ３はアルキル基、アリール基、アラルキル基を表わす。Ｃｙは置換もしくは未置換の芳香環を表わす。］
【請求項２】
下記一般式（２）で表される請求項１に記載の色素化合物。
【化２】
2009269938.tif 000002
［一般式（２）中、Ｒ３はアルキル基、アリール基、アラルキル基を表わす。Ｃｙは置換もしくは未置換の芳香環を表わし、Ｍは水素原子もしくはカウンターイオンを表わす。］
【請求項３】
前記一般式（１）又は一般式（２）中のＣｙが、カルボン酸基もしくはスルホン酸基が置換している芳香環である請求項１又は２に記載の色素化合物。
【請求項４】
前記一般式（１）又は一般式（２）中のＣｙが、アゾ基の隣接位にカルボン酸基もしくはスルホン酸基をもつ芳香環である請求項１〜３のいずれか１項に記載の色素化合物。
【請求項５】
前記一般式（１）又は一般式（２）中のＣｙが、含窒素芳香族複素環である請求項１〜３のいずれか１項に記載の色素化合物。
【請求項６】
前記一般式（１）又は一般式（２）中のＣｙが、含窒素芳香族５員複素環である請求項１〜３のいずれか１項に記載の色素化合物。
【請求項７】
請求項１〜６のいずれか１項に記載の色素化合物と、水性媒体とを含有することを特徴とするインク。
【請求項８】
インクジェット用である請求項７に記載のインク。
【手続補正２】
【補正対象書類名】明細書
【補正対象項目名】０００８
【補正方法】変更
【補正の内容】
【０００８】
［一般式（１）中、Ａ１はＮ、もしくはＣＲ２を表わす。Ａ１がＮのとき、Ｒ１はアミノ基であり、Ａ１がＣＲ２のとき、Ｒ１はＲ２と共に芳香環を形成し、該芳香環は陰イオン性基をもつ。Ｒ３はアルキル基、アリール基、アラルキル基を表わす。Ｃｙは置換もしくは未置換の芳香環を表わす。］
【手続補正３】
【補正対象書類名】明細書
【補正対象項目名】００１３
【補正方法】変更
【補正の内容】
【００１３】
［一般式（１）中、Ａ１はＮ、もしくはＣＲ２を表わす。Ａ１がＮのとき、Ｒ１はアミノ基であり、Ａ１がＣＲ２のとき、Ｒ１はＲ２と共に芳香環を形成し、該芳香環は陰イオン性基をもつ。Ｒ３はアルキル基、アリール基、アラルキル基を表わす。Ｃｙは置換もしくは未置換の芳香環を表わす。］
【手続補正４】
【補正対象書類名】明細書
【補正対象項目名】００１５
【補正方法】変更
【補正の内容】
【００１５】
一般式（１）中、Ａ１はＮ、もしくはＣＲ２を表わす。Ａ１がＮの場合、Ｒ１はアミノ基である。Ａ１がＮのとき、Ｒ１がアミノ基であることで、一般式（１）で表される色素化合物溶液の保存安定性が向上する。該アミノ基は置換基を有しても良く、置換基は、本発明の色素化合物の水溶性や保存安定性を著しく阻害するものでないことが好ましい。例えば、メチル、エチル、ｎ−プロピル、イソプロピル、ｎ−ブチル、イソブチル、ｓｅｃ−ブチル、ｔｅｒｔ−ブチルなどのアルキル基。フェニル基、ナフチル基などのアリール基。ベンジル基などのアラルキル基。アセチル基、ベンゾイル基などのアシル基。メシル基、ｐ−トルエンスルホニル基、カルバモイル基、スルファモイル基、トリアジニル基、ベンゾチアゾリル基等が挙げられる。該アミノ基として好ましいのは、無置換アミノ基、Ｎ−メチルアミノ基、Ｎ−エチルアミノ基、Ｎ−ベンジルアミノ基。Ｎ，Ｎ−ジメチルアミノ基、Ｎ，Ｎ−ジエチルアミノ基、Ｎ−アセチルアミノ基、Ｎ−トリアジニルアミノ基等が合成の容易性、色素化合物の水溶性の点で好ましい。Ａ１がＣＲ２の場合、Ｒ１はＲ２と共に芳香環を形成し、該芳香環は陰イオン性基をもつ。該陰イオン性基としては、カルボン酸基、スルホン酸基、りん酸基等が挙げられる。又、該陰イオン性基とは、水素が遊離したもの、さらにカウンターイオンが付加したものも含む。好ましいカウンターイオンとしては、リチウム、ナトリウム、カリウム等のアルカリ金属。メチルアンモニウム、ジメチルアンモニウム、トリメチルアンモニウム、テトラメチルアンモニウム。エチルアンモニウム、ジエチルアンモニウム、トリエチルアンモニウム、テトラエチルアンモニウム。ｎ−プロピルアンモニウム、イソプロピルアンモニウム、ジイソプロピルアンモニウム。ｎ−ブチルアンモニウム、テトラｎ−ブチルアンモニウム、イソブチルアンモニウム。モノエタノールアンモニウム、ジエタノールアンモニウム、トリエタノールアンモニウム等のアンモニウムが挙げられる。特に、該陰イオン性基はスルホン酸基であることが好ましい。陰イオン性基がスルホン酸基であると、色素化合物の水溶性が増加し、インクとしての保存安定性が向上するためである。
【手続補正５】
【補正対象書類名】明細書
【補正対象項目名】００１６
【補正方法】変更
【補正の内容】
【００１６】
一般式（１）中のＲ３はメチル、エチル、ｎ−プロピル、イソプロピル、ｎ−ブチル、イソブチル、ｓｅｃ−ブチル、ｔｅｒｔ−ブチルなどのアルキル基、フェニル基、ナフチル基などのアリール基、ベンジル基、フェネチル基等のアラルキル基を表わす。又、Ｒ３は更に置換基を有しても良い。該置換基としては、フッ素原子、塩素原子、臭素原子、ヨウ素原子等のハロゲン原子、メトキシ基、エトキシ基、ｎ−プロポキシ基、イソプロポキシ基等のアルコキシ基等が挙げられる。中でも、合成が容易であるという理由でメチル基が好ましい。
【手続補正６】
【補正対象書類名】明細書
【補正対象項目名】００１９
【補正方法】変更
【補正の内容】
【００１９】
［一般式（２）中、Ｒ３はアルキル基、アリール基、アラルキル基を表わす。Ｃｙは置換もしくは未置換の芳香環を表わし、Ｍは水素原子もしくはカウンターイオンを表わす。］
【手続補正７】
【補正対象書類名】明細書
【補正対象項目名】００２３
【補正方法】変更
【補正の内容】
【００２３】
［一般式（１′）中、Ａ１はＮ、もしくはＣＲ２を表わす。Ａ１がＮのとき、Ｒ１はアミノ基であり、Ａ１がＣＲ２のとき、Ｒ１はＲ２と共に芳香環を形成し、該芳香環は陰イオン性基をもつ。Ｒ３はアルキル基、アリール基、アラルキル基を表わす。Ｃｙは置換もしくは未置換の芳香環を表わす。］
【手続補正８】
【補正対象書類名】明細書
【補正対象項目名】００２６
【補正方法】変更
【補正の内容】
【００２６】
［一般式（３）中、Ａ１はＮ、もしくはＣＲ２を表わす。Ａ１がＮのとき、Ｒ１はアミノ基であり、Ａ１がＣＲ２のとき、Ｒ１はＲ２と共に芳香環を形成し、該芳香環は陰イオン性基をもつ。］
【手続補正９】
【補正対象書類名】明細書
【補正対象項目名】００２８
【補正方法】変更
【補正の内容】
【００２８】
［一般式（４）中、Ｒ３はアルキル基、アリール基、アラルキル基を表わす。Ｒ４はアルキル基を表わす。］
【手続補正１０】
【補正対象書類名】明細書
【補正対象項目名】００３０
【補正方法】変更
【補正の内容】
【００３０】
［一般式（５）中、Ａ１はＮ、もしくはＣＲ２を表わす。Ａ１がＮのとき、Ｒ１はアミノ基であり、Ａ１がＣＲ２のとき、Ｒ１はＲ２と共に芳香環を形成し、該芳香環は陰イオン性基をもつ。Ｒ３はアルキル基、アリール基、アラルキル基を表わす。］